(57)【特許請求の範囲】
【請求項１】
目地部を介して設けられた左右の建物等の床の一方の目地部側の床躯体に目地部の間隔とほぼ同じ間隔となるように形成された凹部と、前記左右の床の他方の目地部側の床躯体に後端部が枢支され、遊端部が前記凹部のほぼ中央部に該凹部内をスライド移動可能に支持される可動目地プレートと、前記凹部の反目地部側の一方の床躯体に後端部が枢支された、該凹部を前記可動目地プレートのスライド移動を可能に覆う該可動目地プレートに遊端部側が支持される一方の目地プレートと、前記可動目地プレートの枢支部側に後端部が枢支あるいは上下移動可能に支持され、遊端部が前記一方の目地プレートの遊端部と当接あるいはわずかな隙間を有し、該可動目地プレートに支持される他方の目地プレートと、前記左右の建物等が地震等によって目地部が狭くなるように揺れ動いた場合に、前記一方の目地プレートと他方の目地プレートのいずれか一方の遊端部を自動的に押し上げる傾斜面を用いた自動押し上げ機構とからなることを特徴とする床用目地装置。
【請求項２】
目地部を介して設けられた左右の建物等の床の一方の目地部側の床躯体に目地部の間隔とほぼ同じ間隔となるように形成された凹部と、前記左右の床の他方の目地部側の床躯体に後端部が枢支され、遊端部が前記凹部のほぼ中央部に該凹部内をスライド移動可能に支持される遊端下部にローラーが備えられた複数本の支持バー、この複数本の支持バーの上面を覆うように固定されたカバー板とからなる可動目地プレートと、前記凹部の反目地部側の一方の床躯体に後端部が枢支された、該凹部を前記可動目地プレートのスライド移動を可能に覆う該可動目地プレートに遊端部側が支持される一方の目地プレートと、前記可動目地プレートの枢支部側に後端部が枢支あるいは上下移動可能に支持され、遊端部が前記一方の目地プレートの遊端部と当接あるいはわずかな隙間を有し、該可動目地プレートに支持される他方の目地プレートと、前記左右の建物等が地震等によって目地部が狭くなるように揺れ動いた場合に、前記一方の目地プレートと他方の目地プレートのいずれか一方の遊端部を自動的に押し上げることができる、対向する傾斜面あるいは一方が傾斜面で、他方が該傾斜面を押し上げる押し上げ片を用いた押し上げ機構とからなることを特徴とする床用目地装置。
【請求項３】
目地部を介して設けられた左右の建物等の床の一方の目地部側の床躯体に目地部の間隔とほぼ同じ間隔となるように形成された凹部と、前記左右の床の他方の目地部側の床躯体に所定角度回動可能に取付けられたアームを介して後端部が枢支され、遊端部が前記凹部のほぼ中央部に該凹部内をスライド移動可能に支持される可動目地プレートと、前記凹部の反目地部側の一方の床躯体に後端部が枢支された、該凹部を前記可動目地プレートのスライド移動を可能に覆う該可動目地プレートに遊端部側が支持される一方の目地プレートと、前記可動目地プレートの枢支部側に後端部が枢支あるいは上下移動可能に支持され、遊端部が前記一方の目地プレートの遊端部と当接あるいはわずかな隙間を有し、該可動目地プレートに支持される他方の目地プレートと、前記左右の建物等が地震等によって目地部が狭くなるように揺れ動いた場合に、前記一方の目地プレートと他方の目地プレートのいずれか一方の遊端部を自動的に押し上げる傾斜面を用いた自動押し上げ機構とからなることを特徴とする床用目地装置。
【発明の詳細な説明】
【０００１】
【発明の属する技術分野】
本発明は目地部を介して設けられた左右の建物等の床面間を覆う床用目地装置に関する。
【０００２】
【従来の技術】
従来の床用目地装置は地震等によって左右の建物が異なる左右方向に揺れ動いた場合に、その揺れ動きを吸収できるような構造になっている。
【０００３】
【発明が解決しようとする課題】
最近、免震ビルや吊り床構造の建物が増加し、これらの建物は地震等によって揺れ動く場合、その揺れ動く寸法は大きく、かつ異なる前後左右はもちろんのこと、異なる上下方向にも揺れ動き、従来の構造ではこれらの揺れ動きに追従できないという欠点があった。
【０００４】
本発明は以上のような従来の欠点に鑑み、左右の建物等が地震等によって異なる前後左右方向や上下方向に揺れ動いても、その揺れ動きに追従して、損傷することなく目地部を確実に覆うことができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物等の床の一方の目地部側の床躯体に目地部の間隔とほぼ同じ間隔となるように形成された凹部と、前記左右の床の他方の目地部側の床躯体に後端部が枢支され、遊端部が前記凹部のほぼ中央部に該凹部内をスライド移動可能に支持される可動目地プレートと、前記凹部の反目地部側の一方の床躯体に後端部が枢支された該凹部を前記可動目地プレートのスライド移動を可能に覆う該可動目地プレートに遊端部側が支持される一方の目地プレートと、前記可動目地プレートの枢支部側に後端部が枢支あるいは上下移動可能に支持され、遊端部が前記一方の目地プレートの遊端部と当接あるいはわずかな隙間を有し、該可動目地プレートに支持される他方の目地プレートと、前記左右の建物等が地震等によって目地部が狭くなるように揺れ動いた場合に、前記一方の目地プレートと他方の目地プレートのいずれか一方の遊端部を自動的に押し上げる傾斜面を用いた自動押し上げ機構とで床用目地装置を構成している。
【０００７】
【発明の実施の形態】
以下、図面に示す実施の形態により、本発明を詳細に説明する。
【０００８】
図１ないし図１０に示す本発明の第１の実施の形態において、１は目地部２を介して設けられた左右の建物３、３等の床４、４間を覆う本発明の床用目地装置で、この床用目地装置１は前記左右の建物３、３等の一方の目地部側の床躯体５に前記目地部２の間隔とほぼ同じ間隔となるように形成された凹部６と、この凹部６を覆うように複数本の固定ビス７等によって固定された下地レール８と、前記左右の建物３、３等の他方の目地部側の床躯体５Ａに後端部がヒンジ部材９によって枢支され、遊端部が前記凹部６のほぼ中央部に該凹部６内の下地レール８上をスライド移動可能に支持される可動目地プレート１０と、前記凹部６の反目地部側の一方の床躯体５に後端部がヒンジ部材１１によって枢支された該凹部６を前記可動目地プレート１０のスライド移動を可能に覆う、該可動目地プレート１０に遊端部側が支持される一方の目地プレート１２と、前記可動目地プレート１０の枢支部側に後端部がヒンジ部材１３によって枢支され、遊端部が前記一方の目地プレート１２の遊端部と当接あるいはわずかな隙間を有し、該可動目地プレート１０に支持される他方の目地プレート１４と、前記左右の建物３、３等が地震等によって目地部２が狭くなるように揺れ動いた場合に、前記一方の目地プレート１２と他方の目地プレート１４のいずれか一方の遊端部を自動的に押し上げる傾斜面を用いた自動押し上げ機構１５とで構成されている。
【０００９】
前記下地レール８は図３に示すように、金属材で前記凹部６の底面を覆う板状の下地レール本体１６と、この下地レール本体１６の一端部に一体形成された下方へ突出するストッパー片１７と、前記下地レール本体１６の他端部に一体形成された上方へほぼ逆Ｌ字状に突出する支持片１８とで形成されている。
【００１０】
前記可動目地プレート１０は図４に示すように、前記他方の目地部側の床躯体５Ａの上部角部に固定されたヒンジ部材９に所定間隔で後端部が枢支され、前記凹部６のほぼ中央部に位置する遊端部の下部にローラー１９が備えられた、金属角パイプ材製の複数本の支持バー２０と、この複数本の支持バー２０の上面を覆うように溶接や皿ビス等によって固定された金属材製のカバー板２１とで構成されている。
【００１１】
前記一方の目地プレート１２は図５に示すように、金属材で遊端部に自動押し上げ機構１５の傾斜面２２が形成された浅皿状の一方の目地プレート本体２３と、この一方の目地プレート本体２３内に設けられた床フローリング、モルタルとタイル、モルタルと石材等の床化粧材２４とで構成されている。
【００１２】
前記他方の目地プレート１４は図６に示すように、金属材で遊端部に自動押し上げ機構１５の傾斜面２５が形成された浅皿状の他方の目地プレート本体２６と、この他方の目地プレート本体２６内に設けられた床フローリング、モルタルとタイル、モルタルと石材等の床化粧材２７とで構成されている。
【００１３】
上記構成の床用目地装置１は地震等によって目地部２の間隔が大きくなるように揺れ動いた場合には、図７に示すように可動目地プレート１０の遊端部のローラー１９が下地レール８上を目地部側へスライド移動して、その揺れ動きを吸収する。
目地部２の間隔が小さくなるように揺れ動いた場合には、図８に示すように可動目地プレート１０の遊端部のローラー１９が下地レール８上を反目地部側へスライド移動するとともに、一方の目地プレート１２の先端部の傾斜面２２が他方の目地プレート１４の傾斜面２５を押し上げ、該一方の目地プレート１２と他方の目地プレート１４とが重なり合うようにスライド移動して、その揺れ動きを吸収する。
左右の建物３、３等が異なる上下方向に揺れ動いた場合、図９に示すように可動目地プレート１０、一方の目地プレート１２、他方の目地プレート１４のそれぞれの遊端部が上下方向に回動して、その揺れ動きを吸収する。
左右の建物３、３等が異なる前後方向に揺れ動いた場合、図１０に示すように可動目地プレート１０の遊端部のローラー１９が下地レール８上を前後方向にスライド移動して、その揺れ動きを吸収する。
【００１４】
【発明の異なる実施の形態】
次に、図１１ないし図２９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１１ないし図１３に示す本発明の第２の実施の形態において、前記本発明の第１の実施の形態と主に異なる点は、先端上部に目地凹部２８を形成することができる押し圧片２９を用いた自動押し上げ機構１５Ａを用いた点で、このように形成された自動押し上げ機構１５Ａを用いて構成した床用目地装置１Ａにしても前記本発明の第１の実施の形態と同様な作用効果が得られる。
【００１６】
図１４ないし図１６に示す本発明の第３の実施の形態において、前記本発明の第１の実施の形態と主に異なる点は、先端部を傾斜面２２に形成した金属板製の一方の目地プレート本体２３Ａと、この一方の目地プレート本体２３Ａの下面に所定間隔で溶接あるいは複数本のビス等で固定された複数本の補強バー３０とからなる一方の目地プレート１２Ａと、先端部を傾斜面２５に形成した金属板製の他方の目地プレート本体２６Ａと、この他方の目地プレート本体２６Ａの下面に所定間隔で溶接あるいは複数本のビス等で固定された複数本の補強バー３１とからなる他方の目地プレート１４Ａとを用いた点で、このように形成された一方の目地プレート１２Ａと他方の目地プレート１４Ａとを用いて構成した床用目地装置１Ｂにしても、同様な作用効果が得られる。
【００１７】
図１７ないし図１９に示す本発明の第４の実施の形態において、前記本発明の第３の実施の形態と主に異なる点は、補強リブ３２が一体形成された遊端部にローラーを用いない可動目地プレート１０Ａと、補強リブ３３が一体形成された一方の目地プレート１２Ｂと、補強リブ３４が一体形成された他方の目地プレート１４Ｂとを用いた点で、このように構成した床用目地装置１Ｃにしても、前記本発明の第３の実施の形態と同様な作用効果が得られる。
【００１８】
図２０ないし図２２に示す本発明の第５の実施の形態において、前記本発明の第１の実施の形態と主に異なる点は、よう壁３５の上部に凹部６を形成し、可動目地プレート１０の遊端部のローラー１９を凹部６上に位置させるとともに、目地部２が狭くなると一方の目地プレート１２が他方の目地プレート１４上に押し上げられる自動押し上げ機構１５Ｂを用いた点で、このように構成した床用目地装置１Ｄにしても前記本発明の第１の実施の形態と同様な作用効果が得られる。
【００１９】
図２３ないし図２５に示す本発明の第６の実施の形態において、前記本発明の第１の実施の形態と主に異なる点は、他方の目地部側の床躯体５Ａにピン挿入孔３８を形成し、該ピン挿入孔３８に上下移動可能に挿入されるピン３７を他方の目地プレート１４Ｃの後端部に形成されたピン取付板３６に取り付けた点で、このように構成した床用目地装置１Ｅにしても前記本発明の第１の実施の形態と同様な作用効果が得られるとともに、目地部２が狭くなった場合には図２５に示すように他方の目地プレート１４Ｃを上方に移動させてほぼ水平状態に位置させることができる。
なお、本実施の形態で用いた他方の目地プレート１４Ｃを前記第２〜５の実施の形態で用いても同様な作用効果が得られる
【００２０】
図２６ないし図２９に示す本発明の第７の実施の形態において、前記本発明の第１の実施の形態と主に異なる点は、所定角度、本発明の実施の形態では約９０度回動可能に取付けられたアーム３９、３９を介して後端部が他方の目地部側の床躯体５Ａに枢支された可動目地プレート１０Ｂを用いた点で、このように構成した床用目地装置１Ｆにしても前記本発明の第１の実施の形態と同様な作用効果が得られるとともに、左右の建物等が上下移動した場合に可動目地プレート１０Ｂのアーム３９が回動して、無理なくスムーズに該可動目地プレート１０Ｂ、一方の目地プレート１２および他方の目地プレート１４をスライド移動させることができる。
【００２１】
【発明の効果】
以上の説明から明らかなように、本発明にあっては次に列挙する効果が得られる。
【００２２】
（１）目地部を介して設けられた左右の建物等の床の一方の目地部側の床躯体に目地部の間隔とほぼ同じ間隔となるように形成された凹部と、前記左右の床の他方の目地部側の床躯体に後端部が枢支され、遊端部が前記凹部のほぼ中央部に該凹部内をスライド移動可能に支持される可動目地プレートと、前記凹部の反目地部側の一方の床躯体に後端部が枢支された、該凹部を前記可動目地プレートのスライド移動を可能に覆う該可動目地プレートに遊端部側が支持される一方の目地プレートと、前記可動目地プレートの枢支部側に後端部が枢支あるいは上下移動可能に支持され、遊端部が前記一方の目地プレートの遊端部と当接あるいはわずかな隙間を有し、該可動目地プレートに支持される他方の目地プレートと、前記左右の建物等が地震等によって目地部が狭くなるように揺れ動いた場合に、前記一方の目地プレートと他方の目地プレートのいずれか一方の遊端部を自動的に押し上げる傾斜面を用いた自動押し上げ機構とで構成されているので、平常時には一方の目地プレートと他方の目地プレートとで上面がぼ同一面で隙間のない状態に覆うことができる。
したがって、美観の向上を図ることができる。
【００２３】
（２）前記（１）によって、地震等によって目地部が狭くなるように揺れ動いた場合には、一方の目地プレートと他方の目地プレートとが重なり合って、その揺れ動きを吸収することができる。
【００２４】
（３）前記（１）によって、目地部が広くなるように揺れ動いた場合には、可動目地プレート上を一方の目地プレートの遊端部がスライド移動して、その揺れ動きを吸収することができる。
【００２５】
（４）前記（１）によって、可動目地プレート、一方の目地プレート、他方の目地プレートの遊端部はそれぞれ上下方向に回動可能であるので、左右の建物等が異なる上下方向に揺れ動いても、その揺れ動きを吸収することができる。
【００２６】
（５）請求項２、３も前記（１）〜（４）と同様な効果が得られる。
【図面の簡単な説明】
【図１】本発明の第１の実施の形態の平面図。
【図２】図１の２−２線に沿う拡大断面図。
【図３】本発明の第１の実施の形態の下地レールの説明図。
【図４】本発明の第１の実施の形態の可動目地プレートの説明図。
【図５】本発明の第１の実施の形態の一方の目地プレートの説明図。
【図６】本発明の第１の実施の形態の他方の目地プレートの説明図。
【図７】本発明の第１の実施の形態の目地部が広くなった場合の動作説明図。
【図８】本発明の第１の実施の形態の目地部が狭くなった場合の動作説明図。
【図９】本発明の第１の実施の形態の上下方向に揺れ動いた動作説明図。
【図１０】本発明の第１の実施の形態の前後方向に揺れ動いた動作説明図。
【図１１】本発明の第２の実施の形態の平面図。
【図１２】図１１の１２−１２線に沿う拡大断面図。
【図１３】本発明の第２の実施の形態の一方の目地プレートの説明図。
【図１４】本発明の第３の実施の形態の平面図。
【図１５】図１４の１５−１５線に沿う拡大断面図。
【図１６】本発明の第３の実施の形態の一方、他方の目地プレートの説明図。
【図１７】本発明の第４の実施の形態の平面図。
【図１８】図１７の１８−１８線に沿う拡大断面図。
【図１９】本発明の第４の実施の形態の可動目地プレートの説明図。
【図２０】本発明の第５の実施の形態の平面図。
【図２１】図２０の２１−２１線に沿う拡大断面図。
【図２２】本発明の第５の実施の形態の目地部が狭くなった場合の動作説明図。
【図２３】本発明の第６の実施の形態の平面図。
【図２４】図２３の２４−２４線に沿う拡大断面図。
【図２５】本発明の第６の実施の形態の目地部が狭くなった場合の動作説明図。
【図２６】本発明の第７の実施の形態の平面図。
【図２７】図２６の２７−２７線に沿う拡大断面図。
【図２８】上下移動して目地部が狭くなった場合の動作説明図。
【図２９】上下移動して目地部が広くなった場合の動作説明図。
【符号の説明】
１、１Ａ〜１Ｆ：床用目地装置、
２：目地部、            ３：建物、
４：床、                ５：一方の床躯体、
５Ａ：他方の床躯体、    ６：凹部、
７：固定ビス、          ８：下地レール、
９：ヒンジ部材、
１０、１０Ａ、１０Ｂ：可動目地プレート、
１１：ヒンジ部材、
１２、１２Ａ、１２Ｂ：一方の目地プレート、
１３：ヒンジ部材、
１４、１４Ａ〜１４Ｃ：他方の目地プレート、
１５、１５Ａ、１５Ｂ：自動押し上げ機構、
１６：下地レール本体、  １７：ストッパー片、
１８：支持片、          １９：ローラー、
２０：支持バー、        ２１：カバー板、
２２：傾斜面、
２３、２３Ａ：一方の目地プレート本体、
２４：床化粧材、        ２５：傾斜面、
２６、２６Ａ：他方の目地プレート本体、
２７：床化粧材、        ２８：目地凹部、
２９：押し圧片、        ３０：補強バー、
３１：補強バー、        ３２：補強リブ、
３３：補強リブ、        ３４：補強リブ、
３５：よう壁、          ３６：ピン取付板、
３７：ピン、            ３８：ピン挿入孔、
３９：アーム。
【図１】
0003604614.tif 000002
【図２】
0003604614.tif 000003
【図３】
0003604614.tif 000004
【図４】
0003604614.tif 000005
【図５】
0003604614.tif 000006
【図６】
0003604614.tif 000007
【図７】
0003604614.tif 000008
【図８】
0003604614.tif 000009
【図９】
0003604614.tif 000010
【図１０】
0003604614.tif 000011
【図１１】
0003604614.tif 000012
【図１２】
0003604614.tif 000013
【図１３】
0003604614.tif 000014
【図１４】
0003604614.tif 000015
【図１５】
0003604614.tif 000016
【図１６】
0003604614.tif 000017
【図１７】
0003604614.tif 000018
【図１８】
0003604614.tif 000019
【図１９】
0003604614.tif 000020
【図２０】
0003604614.tif 000021
【図２１】
0003604614.tif 000022
【図２２】
0003604614.tif 000023
【図２３】
0003604614.tif 000024
【図２４】
0003604614.tif 000025
【図２５】
0003604614.tif 000026
【図２６】
0003604614.tif 000027
【図２７】
0003604614.tif 000028
【図２８】
0003604614.tif 000029
【図２９】
0003604614.tif 000030